(57)【要約】【課題】グレアを効果的に抑制できるＬＥＤ照明光源を提供する。【解決手段】本発明のＬＥＤ照明光源１００は、基板１１と、基板１１上に二次元的に配列された複数のＬＥＤ素子１０と、複数のＬＥＤ素子１０に電気的に接続された配線回路２０とを備え、配線回路２０は、二次元的に配列された複数のＬＥＤ素子１０のうち、外周部に位置する少なくとも１つのＬＥＤ素子１０ａと、外周部以外の領域に位置する少なくとも１つＬＥＤ素子１０ｂに対して、別々に駆動電流を供給できる配線構造（２１、２２）を有している。【選択図】図１０
2005117028.tif 000002
【特許請求の範囲】
【請求項１】
基板と、
前記基板上に二次元的に配列された複数のＬＥＤ素子と、
前記複数のＬＥＤ素子に電気的に接続された配線回路と
を備え、
前記配線回路は、二次元的に配列された前記複数のＬＥＤ素子のうち、外周部に位置する少なくとも１つのＬＥＤ素子と、前記外周部以外の領域に位置する少なくとも１つのＬＥＤ素子に対して、別々に駆動電流を供給できる配線構造を有している、ＬＥＤ照明光源。
【請求項２】
前記配線回路は、前記外周部に位置する複数のＬＥＤ素子を電気的に接続する第１の配線パターンと、前記外周部以外の領域に位置する複数のＬＥＤ素子を電気的に接続する第２の配線パターンとを有している、請求項１に記載のＬＥＤ素子。
【請求項３】
前記配線回路は、調光器に電気的に接続されており、
前記調光器は、前記第１の配線パターンに電気的に接続されたＬＥＤ素子の調光と、前記第２の配線パターンに電気的に接続されたＬＥＤ素子の調光とを、独立して行なう機能を有している、請求項２に記載のＬＥＤ照明光源。
【請求項４】
前記配線回路における前記第１の配線パターンは、調光器に電気的に接続されており、
前記調光器は、前記第１の配線パターンに電気的に接続されたＬＥＤ素子の調光を行なう機能を有している、請求項２に記載のＬＥＤ照明光源。
【請求項５】
前記第１の配線パターンおよび第２の配線パターンの少なくとも一方に接続された抵抗素子を更に備え、
前記抵抗素子は、前記第１の配線パターンを流れる電流の大きさと前記第２の配線パターンを流れる電流の大きさとの間の差異を、前記抵抗素子が存在しない場合に比べて減少させる、請求項２から５の何れかに記載のＬＥＤ照明光源。
【請求項６】
前記複数のＬＥＤ素子のそれぞれは、ベアチップＬＥＤと、前記ベアチップＬＥＤを覆う蛍光体樹脂部とを有しており、
前記蛍光体樹脂部は、前記ベアチップＬＥＤから出射された光を当該光の波長よりも長い波長の光に変換する蛍光体と、前記蛍光体を分散させる樹脂とから構成されている、請求項１から５の何れかに記載のＬＥＤ照明光源。
【請求項７】
前記外周部は、前記二次元的に配列された複数のＬＥＤ素子の最外周に位置する領域である、請求項１から５の何れかに記載のＬＥＤ照明光源。
【請求項８】
前記複数のＬＥＤ素子のそれぞれには、各ＬＥＤ素子の配光特性を制御するレンズが設けられており、
前記外周部以外に位置する各ＬＥＤ素子に設けられた前記レンズは、前記外周部に位置する各ＬＥＤ素子に設けられた前記レンズよりも、狭角の配光を実現するレンズ構造を有している、請求項１から７の何れかに記載のＬＥＤ照明光源。
【請求項９】
前記複数のＬＥＤ素子のうち、前記外周部に位置する各ＬＥＤ素子が発する光の色温度は、前記外周部以外の各ＬＥＤ素子が発する光の色温度よりも低い、請求項１から８の何れかに記載のＬＥＤ照明光源。
【発明の詳細な説明】
【技術分野】
【０００１】
本発明は、ＬＥＤ照明光源に関し、特に、一般照明用の白色ＬＥＤ照明光源に関する。
【背景技術】
【０００２】
発光ダイオード素子（以下、「ＬＥＤ素子」と称する。）は、小型で効率が良く鮮やかな色の発光を示す半導体素子であり、その発光は優れた単色性ピークを有している。ＬＥＤ素子を用いて白色発光を得るには、赤色ＬＥＤ素子と緑色ＬＥＤ素子と青色ＬＥＤ素子とを近接して配置させ、拡散混色を行わせる照明光源が開発された。しかし、このような照明光源には、各ＬＥＤ素子が優れた単色性ピークを示すため、色ムラが生じやすいという問題がある。すなわち、各ＬＥＤ素子からの発光による混色が均一に行なわれない限り、白色発光に色ムラが生じてしまう。このような色ムラの問題を解消するために、青色ＬＥＤ素子と黄色蛍光体とを組み合わせて白色発光を得る照明光源が開発されている（例えば、特許文献１、特許文献２）。
【０００３】
特許文献１に開示されている技術によれば、青色ＬＥＤ素子からの発光と、その発光で励起され黄色を発光する黄色蛍光体からの発光とによって白色発光を得ている。この技術では、１種類のＬＥＤ素子だけを用いて白色発光を得るので、複数種類のＬＥＤ素子を近接させて白色発光を得る場合に生じる色ムラの問題を解消することができる。
【０００４】
特許文献２に開示された砲弾型ＬＥＤ照明光源は、例えば図１に示す構成を有している。図１に示される砲弾型ＬＥＤ照明光源２００は、ＬＥＤ素子１２１と、ＬＥＤ素子１２１をカバーする砲弾型の透明容器１２７と、ＬＥＤ素子１２１に電流を供給するためのリードフレーム１２２ａ、１２２ｂとを備えている。ＬＥＤ素子１２１が搭載されるフレーム１２２ｂのマウント部には、ＬＥＤ素子１２１の発光を矢印Ｄの方向に反射するカップ型反射板１２３が設けられている。ＬＥＤ素子１２１は、蛍光物質１２６が分散された第１の樹脂部１２４によって封止されており、第１の樹脂部１２４は、第２の樹脂部によって覆われている。ＬＥＤ素子１２１から青色が発光される場合、蛍光物質１２６が青色光の一部を黄色光に変換する。このため、青色光と黄色光が混じりあって白色光が得られることになる。
【０００５】
１個のＬＥＤ素子では、得られる光束が小さいため、今日、一般照明用光源として広く普及している白熱電球や蛍光ランプと同程度の光束を得るためには、複数のＬＥＤ素子を配置してＬＥＤ照明光源を構成することが望ましい。そのようなＬＥＤ照明光源は、例えば特許文献３や特許文献４に開示されている。なお、関連する先行技術が特許文献５に開示されている。
【特許文献１】特開平１０−２４２５１３号公報
【特許文献２】特許第２９９８６９６号明細書
【特許文献３】特開２００３−５９３３２号公報
【特許文献４】特開２００３−１２４５２８号公報
【特許文献５】特開２００４−１７２５８６号公報
【発明の開示】
【発明が解決しようとする課題】
【０００６】
特許文献５は、特許文献２に開示された砲弾型ＬＥＤ照明光源が有する色ムラの問題を解決することができるＬＥＤ照明光源を開示している。図１に示される砲弾型ＬＥＤ照明光源２００によれば、図２に拡大して示すように、第１の樹脂部２４はＬＥＤ素子１２１を封止するようにカップ型反射板１２３内に充填させた後に硬化させて形成する関係上、第１の樹脂部２４の上面に凹凸が生じやすく、その結果、蛍光物質１２６を含有する樹脂の厚さにムラが生じて、ＬＥＤ素子１２１からの光が第１の樹脂部１２４を通過する経路（例えば、光路Ｅ、Ｆ）上に存在する蛍光物質１２６の量がばらつき、色ムラを招くことになる。
【０００７】
そのような問題を解消するために、特許文献５が開示するＬＥＤ照明光源では、蛍光物質が分散された樹脂部の側面から、光反射部材（反射板）の反射面を離間させるように構成されている。図３（ａ）および（ｂ）は、特許文献５に開示されたＬＥＤ照明光源の一例を示す側面断面図および上面図である。図３（ａ）および（ｂ）に示すＬＥＤ照明光源３００では、基板１１１に実装されたＬＥＤ素子（ベアチップＬＥＤ）１１２が、蛍光物質が分散された樹脂部１１３によって覆われている。基板１１１には、反射面１５１ａを有する反射板１５１が貼り付けられており、そして、樹脂部１１３の側面と、反射板１５１の反射面１５１ａとは離間して形成されている。樹脂部１１３の側面が反射板１５１の反射面１５１ａと離間して形成されていることによって、反射板１５１の反射面１５１ａの形状によって拘束されずに樹脂部１１３の形状を自由に設計することができ、その結果、色ムラを軽減する効果を発揮することができる。
【０００８】
図３に示す構成を複数個マトリクス状に配置すると、図４に示すようになる。図４に示すＬＥＤ照明光源３００では、ＬＥＤ素子１１２を覆う樹脂部１１３が基板１１１上に行列状に配列され、そして、各樹脂部１１３に対応する反射面１５１ａを持った反射板１５１が基板１１１に貼り付けられる。このような構成にすると、複数個のＬＥＤ素子の光束を利用できるので、今日広く普及している一般照明用光源（例えば、白熱電球や蛍光ランプ）と同程度の光束を得ることが容易となる。
【０００９】
図４に示すＬＥＤ照明光源３００を一般照明用光源として用いれば、色ムラもなく、また光束も十分なものが得られるのであるが、このＬＥＤ照明光源３００に対して本願発明者が更なる検討を加えた結果、次のようなことがわかった。従来はＬＥＤ照明光源の光束を向上させることにばかり注意を払っていたが、光束が大きいＬＥＤ照明光源（大光量ＬＥＤ照明光源）３００は、観測者にとって不快なまぶしさ（グレア）が存在するという点である。つまり、一般照明用光源は、単に明るければ明るいほどよいというものではなく、観測者に不快な感じを与えることは好ましくない。
【００１０】
グレアとは、視野内にある照明器具の輝度が高いことによって、視野内の輝度分布が不適切になって、不快に感じたり、細かいもの又は対象物を見る能力が低下する状態のことをいい（ＪＩＳ Ｃ８１０６）、グレアが起きる条件としては、一般的に、(ｉ)光源の輝度がある程度以上高い場合に、(ｉｉ)周囲が暗く、目が暗さになれているほどグレアを感じ、(ｉｉｉ)グレア源が視線に近いほど、(ｉｖ)また、グレア源の見かけの大きさが大きかったり、数が多いときにグレアを強く感じる。したがって、複数のＬＥＤ素子からなるＬＥＤ照明光源が高輝度で、かつ、そのＬＥＤ照明光源を比較的暗いところで使用する場合には、グレアが起きやすくなると思われる。特に、ＬＥＤ照明光源は、ＬＥＤ素子から出射する光を用いているので、指向性が強く、蛍光ランプのような指向性の弱い光が観測者の目に入る場合と比較して、観測者は、ＬＥＤ照明光源によりグレアを感じてしまう場合が多い。かといって、グレア発生防止のために、ＬＥＤ照明光源の輝度を低下させてしまうと、一般照明用光源としては暗い光源となってしまう。また、グレアは周囲の条件にも影響を受けるので、グレアが発生しない条件のときにＬＥＤ照明光源をわざわざ暗く点灯させる必要もない。そうすると、グレアが発生する条件を考慮して、グレア抑制の対策をとることができたり、また、通常通り明るく点灯できたりするＬＥＤ照明光源があると非常に便利である。
【００１１】
本発明はかかる諸点に鑑みてなされたものであり、その主な目的は、グレアを抑制することができるＬＥＤ照明光源を提供することにある。
【課題を解決するための手段】
【００１２】
本発明のＬＥＤ照明光源は、基板と、前記基板上に二次元的に配列された複数のＬＥＤ素子と、前記複数のＬＥＤ素子に電気的に接続された配線回路とを備え、前記配線回路は、二次元的に配列された前記複数のＬＥＤ素子のうち、外周部に位置する少なくとも１つのＬＥＤ素子と、前記外周部以外の領域に位置する少なくとも１つＬＥＤ素子に対して、別々に駆動電流を供給できる配線構造を有している。
【００１３】
好ましい実施形態において、前記配線回路は、前記外周部に位置する複数のＬＥＤ素子を電気的に接続する第１の配線パターンと、前記外周部以外の領域に位置する複数のＬＥＤ素子を電気的接続する第２の配線パターンとを有している。
【００１４】
好ましい実施形態において、前記配線回路は、調光器に電気的に接続されており、前記調光器は、前記第１の配線パターンに電気的に接続されたＬＥＤ素子の調光と、前記第２の配線パターンに電気的に接続されたＬＥＤ素子の調光とを、独立して行なう機能を有している。
【００１５】
好ましい実施形態において、前記配線回路における前記第１の配線パターンは、調光器に電気的に接続されており、前記調光器は、前記第１の配線パターンに電気的に接続されたＬＥＤ素子の調光を行なう機能を有している。
【００１６】
好ましい実施形態において、前記第１の配線パターンおよび第２の配線パターンの少なくとも一方に接続された抵抗素子を更に備え、前記抵抗素子は、前記第１の配線パターンを流れる電流の大きさと前記第２の配線パターンを流れる電流の大きさとの間の差異を、前記抵抗素子が存在しない場合に比べて減少させる。
【００１７】
好ましい実施形態において、前記複数のＬＥＤ素子のそれぞれは、ベアチップＬＥＤと、前記ベアチップＬＥＤを覆う蛍光体樹脂部とを有しており、前記蛍光体樹脂部は、前記ベアチップＬＥＤから出射された光を当該光の波長よりも長い波長の光に変換する蛍光体と、前記蛍光体を分散させる樹脂とから構成されている。
【００１８】
好ましい実施形態において、前記外周部は、前記二次元的に配列された複数のＬＥＤ素子の最外周に位置する領域である。
【００１９】
好ましい実施形態において、前記複数のＬＥＤ素子のそれぞれには、各ＬＥＤ素子の配光特性を制御するレンズが設けられており、前記外周部以外に位置する各ＬＥＤ素子に設けられた前記レンズは、前記外周部に位置する各ＬＥＤ素子に設けられた前記レンズよりも、狭角の配光を実現するレンズ構造を有している。
【００２０】
好ましい実施形態において、前記複数のＬＥＤ素子のうち、前記外周部に位置する各ＬＥＤ素子が発する光の色温度は、前記外周部以外の各ＬＥＤ素子が発する光の色温度よりも低い。
【発明の効果】
【００２１】
本発明のＬＥＤ照明光源によれば、外周部に位置するＬＥＤ素子の調光と、外周部以外の領域に位置するＬＥＤ素子の調光とを、それぞれ独立して実行することができるため、グレアに影響を与える外周部のＬＥＤ素子の輝度を選択的に変化させることができ、その結果、グレアの発生を効果的に抑制することができる。
【発明を実施するための最良の形態】
【００２２】
本発明の実施形態を説明する前に、図５から図８を参照しながら、複数のＬＥＤ素子を点灯させる場合のＬＥＤ照明光源の構成例を説明する。
【００２３】
図５は、基板１１上に４個のＬＥＤ素子１０が配列されたＬＥＤ照明光源４００を示している。図５のＬＥＤ照明光源４００では、４つのＬＥＤ素子１０を直列に接続すれば、図６（ａ）に示す回路４１０が形成される。一方、４つのＬＥＤ素子１０を並列に接続すれば、図６（ｂ）に示す回路４２０が形成される。
【００２４】
ＬＥＤ照明光源に含まれるＬＥＤ素子１０の数が多くなると、直列接続と並列接続とを組み合わせることも可能である。例えば、ＬＥＤ素子１０を４×４＝１６個のマトリックス状に配列させたＬＥＤ照明光源では、直列に接続した４個のＬＥＤ素子１０の組を並列に接続し、図７に示す回路４３０を形成することができる。並列に接続した４個のＬＥＤ素子１０の組を直接に接続すれば、図８に示す回路４４０を形成することができる。
【００２５】
上記の回路４００、４２０、４３０、４４０によれば、複数のＬＥＤ素子１０の各々が、相互に等しい光束の光を出射する。しかし、各ＬＥＤ素子１０が同じ光束の光を出射しても、その光の全てが被照射物（例えば、ＬＥＤ照明光源が照明スタンドの用途に用いられる場合の本など）に向かうわけでない。光の拡散により、特定の被照射物（本など）に向かう光もあれば、周囲へと広がっていく光も生じる。
【００２６】
図９は、基板１１上に４×４＝１６個のＬＥＤ素子１０を配列させたＬＥＤ照明光源５００の点灯した状態を模式的に示している。ＬＥＤ照明光源５００におけるＬＥＤ素子１０は、図７の回路４３０を形成するように接続されていてもよいし、図８の回路４４０を形成するように接続されていてもよい。
【００２７】
図９に示すように、４行４列のマトリックス状に配列されたＬＥＤ素子１０のうち、外周部に位置するＬＥＤ素子１０ａから放射された光Ａは、内周部に位置するＬＥＤ素子１０ｂから放射された光Ｂに比べると、周囲に拡散しやすい。言い換えると、光Ｂは被照射物（本など）に向かいやすく、被照射物を照らす機能を充分に発揮するが、光Ａは、その光を特に必要としていない観測者の目に届く可能性がある。このため、外周部に位置するＬＥＤ素子１０ａから放射された光Ａは、グレアを発生させる可能性が相対的に高くなる。
【００２８】
図９のＬＥＤ照明光源５００の場合、グレアを抑制するには、光Ａのみならず、光Ｂの光束量も低減させる必要が生じる。これは、各ＬＥＤ素子１０の光束が等しくなる回路構成が採用されているためである。すなわち、図７または図８の回路構成を採用する限り、外周部に位置するＬＥＤ素子１０ａの光束だけ選択的に低減することができない。各ＬＥＤ素子１０に供給する電流を一律に低減すると、被照射物を照らす光束が低下し、一般照明用光源としては暗い光源となってしまうため、都合が悪い。
【００２９】
そこで、本願発明者は、外周部に位置するＬＥＤ素子１０ａと、内周部に位置するＬＥＤ素子１０ｂとを別回路で構成して、外周部のＬＥＤ素子１０ａの輝度を選択的に調整できるようにすれば、グレアを効果的に抑制できることを想到し、本発明に至った。
【００３０】
以下、図面を参照しながら、本発明の実施の形態を説明する。以下の図面においては、説明の簡潔化のため、実質的に同一の機能を有する構成要素を同一の参照符号で示す。なお、本発明は、以下の実施形態に限定されない。
【００３１】
（実施形態１）
まず、図１０および図１１を参照しながら、本実施形態に係るＬＥＤ照明光源１００について説明する。
【００３２】
図１０は、ＬＥＤ照明光源１００の構成を模式的に示している。ＬＥＤ照明光源１００は、基板１１と、基板１１上に二次元的に配列された複数のＬＥＤ素子１０と、複数のＬＥＤ素子１０に電気的に接続された配線回路２０とを備えている。
【００３３】
複数のＬＥＤ素子１０は、２次元的に密に配列されたＬＥＤ素子の群（クラスタ）を形成している。ＬＥＤ素子の群（以下、「ＬＥＤ素子群」と称する。）に含まれる個々のＬＥＤ素子１０は、大きく２つのグループに分けられる。クラスタの外周部に位置するＬＥＤ素子１０ａは第１のグループを形成し、クラスタの内周部に位置するＬＥＤ素子１０ｂは第２のグループを形成している。
【００３４】
本実施形態の配線回路２０は、上記２つのＬＥＤ素子グループに対応して、第１の配線パターン２１と、第１の配線パターン２１から独立した第２の配線パターン２２とを備えている。外周部に位置する各ＬＥＤ素子１０ａは、第１の配線パターン２１に電気的に接続されており、内周部の各ＬＥＤ素子１０ｂは、第２の配線パターン２２に電気的に接続されている。
【００３５】
本実施形態では、外周部に位置するＬＥＤ素子１０ａと、それ以外（内周部）に位置するＬＥＤ素子１０ｂとを、それぞれ、別の配線パターン２１、２２に接続しているため、外周部のＬＥＤ素子１０ａの輝度を選択的に変化させることができる。したがって、グレアの発生を効果的に抑制することができる。例えば、配線回路２０を調光器（不図示）に電気的に接続して、その調光器によって、第１の配線パターン２１に電気的に接続された各ＬＥＤ素子１０ａと、第２の配線パターン２２に電気的に接続された各ＬＥＤ素子１０ｂとをそれぞれ独立して調光するようにすれば、グレアの発生を抑制することができる。なお、第１の配線パターン２１と第２の配線パターン２２との両方を調光器に接続せずに、第１の配線パターン２１だけを調光器（不図示）に電気的に接続して、ＬＥＤ素子１０ａだけを調光してもよい。
【００３６】
図１１は、本実施形態におけるＬＥＤ素子１０の断面構成を模式的に示している。図１１に示すように、ＬＥＤ素子１０は、ベアチップＬＥＤ１２と、ベアチップＬＥＤ１２を覆う蛍光体樹脂部１３とから構成されている。蛍光体樹脂部１３は、ベアチップＬＥＤ１２から出射された光を当該光の波長よりも長い波長の光に変換する蛍光体（蛍光物質）と、蛍光体を分散させる樹脂とから構成されている。ベアチップＬＥＤ１２は、基板１１に実装されており、そして、基板１１には、図１０に示す配線パターン２１、２２が形成されている。
【００３７】
ベアチップＬＥＤ１２は、波長３８０ｎｍから７８０ｎｍの可視領域の範囲内にピーク波長を有する光を出射するＬＥＤ素子である。蛍光体樹脂部１３中に分散されている蛍光体は、波長３８０ｎから７８０ｎｍの可視領域の範囲内で、ベアチップＬＥＤ１２のピーク波長とは異なるピーク波長を有する光を出射する蛍光体である。本実施形態におけるベアチップＬＥＤ１２は、青色の光を出射する青色ＬＥＤ素子であり、蛍光体樹脂部１３に含有されている蛍光体は、黄色の光に変換する黄色蛍光体である。両者の光によって白色の光が形成される。
【００３８】
ベアチップＬＥＤ１２は、窒化ガリウム（ＧａＮ）系材料からなるＬＥＤチップであり、例えば波長４６０ｎｍの光を出射する。ベアチップＬＥＤ１２として青色を発するＬＥＤチップを用いる場合、蛍光体としては、（Ｙ・Ｓｍ）3（Ａｌ・Ｇａ）5Ｏ12：Ｃｅ、（Ｙ0.39Ｇｄ0.57Ｃｅ0.03Ｓｍ0.01）3Ａｌ5Ｏ12などを好適に用いることができる。本実施形態では、蛍光体樹脂部１３は略円柱形状に形成されており、ベアチップＬＥＤ１２の寸法が、例えば約０．３ｍｍ×約０．３ｍｍのときに、蛍光体樹脂部１３の直径は例えば約０．７ｍｍ〜約０．９ｍｍである。
【００３９】
図１０の構成では、ＬＥＤ素子１０が基板１１上に４個×４個の行列状に配置されているが、ＬＥＤ素子１０の数は図１０の例に限定されず、Ｎ行×Ｍ列（Ｎ、Ｍ＝２以上の整数）の配列であってもよい。
【００４０】
また、ＬＥＤ素子１０の二次元的配列は、図１０に示すような行列状の配列に限らず、略同心円状の配列や、渦巻き状の配列であってもよい。そのような場合においても、専らグレアの発生の原因となる外周部に位置するＬＥＤ素子１０ａを、配線パターン２１に接続して、調光できるようにすればよい。
【００４１】
図１２は、ＬＥＤ素子１０を８個×８個の行列状に配列させたＬＥＤ照明光源１００の回路構成図を示している。外周部に位置するＬＥＤ素子１０ａは、第１の配線パターン２１に接続されており、それ以外のＬＥＤ素子１０ｂは、第２の配線パターン２２に接続されている。
【００４２】
図１２の構成では、ＬＥＤ素子１０ａの数と、ＬＥＤ素子１０ｂの数とが異なる。このため、第１の配線パターン２１および第２の配線パターン２２の各々を流れる電流の値を実質的に等しくするための抵抗素子２３が第１の配線パターン２１に接続されている。
【００４３】
図１３に示すように、ＬＥＤ素子１０ａとＬＥＤ素子１０ｂとの数を同じにすることも可能である。その場合、第１の配線パターン２１および第２の配線パターン２２の各々を流れる電流の値は、典型的には相互に等しくなるため、図１２に示すような抵抗素子２３を設ける必要性は低い。
【００４４】
図１４は、第１の配線パターン２１に電気的に接続する調光器３０の一例を示している。図１４に示す調光器３０は、商用電源（例えば、ＡＣ１００Ｖ）３１からの交流電圧を直流電圧に整流した後、レギュレータ３６によって電力制御を行うことができる回路構成を有している。調光器３０は、ヒューズ３２と、電源トランス３３と、ダイオードブリッジ３４と、平滑コンデンサ３５と、レギュレータ３６とから構成されている。端子３７は直流電圧（＋）を出力し、端子３８はグランドの電位を有している。
【００４５】
本発明の好ましい実施形態では、端子３７、３８が第１の配線パターン２１に接続される。例えば、図１２または図１３に示す第１の配線パターン２１のプラス側端部およびマイナス側端部を、それぞれ、調光器２０の端子３７、３８に接続する。レギュレータ３６により、第１の配線パターン２１に接続されたＬＥＤ素子１０ａに供給する電流の大きさを調節することにより、外周部に位置するＬＥＤ素子１０ａの調光を行なうことができる。
【００４６】
２台の調光器２０を用意して、それぞれを第１の配線パターン２１および第２の配線パターン２２に接続してもよい。その場合、ＬＥＤ素子１０ａ、１０ｂの調光をそれぞれ独立して行なうことができる。なお、ＬＥＤ素子１０（１０ａ、１０ｂ）の調光を行なうための調光器は、図１３に示す調光器３０に限らず、他の構成を有する調光器を用いても良い。
【００４７】
本実施形態のＬＥＤ照明光源１００にグレアが発生している状態のときには、調光器３０によって外周部のＬＥＤ素子１０ａの光を調整して、グレアを解消できる。このとき、ＬＥＤ素子１０ｂの光はそのままにすることができるので、ＬＥＤ照明光源１００の光束を低下されることなく、グレアを抑制することができる。
【００４８】
また、ＬＥＤ素子１０ｂの光は、被照射物を専ら照らすことになる。ここで、「被照射物」とは、例えばＬＥＤ照明光源１００が照明スタンドの用途に用いられる場合の本などである。このため、ＬＥＤ照明光源１００の光束が仮に大幅に低下したとしても、被照射物（本など）を見る場合には特に支障のない場合もあり得る。例えば、狭角の配向を実現するレンズがＬＥＤ素子１０ｂの前面に配置されていれば、被照射物を照らす光は主としてＬＥＤ素子１０ｂから放射されたものとなるため、調光のためにＬＥＤ素子１０ａの光束を大幅に低減しても、被照射物を照らす光の強さを略一定に保持することができる。
【００４９】
また、調光器３０を用いずに、ＬＥＤ素子１０ａをオン−オフさせるような構成を採用してもよい。ＬＥＤ素子１０ａをオフにすることによってグレアを抑制しつつ、ＬＥＤ素子１０ｂからの光で被照射物を照射することができる。
【００５０】
なお、ＬＥＤ照明光源１００の利用者が、外周部のＬＥＤ素子１０だけが暗い状態、または、不点灯の状態に違和感をいだく場合、ＬＥＤ素子１０ａとＬＥＤ素子１０ｂとの明るさの割合を自動的にまたは手動で制御する機構を採用し、それによって、そのような違和感を緩和するようにしてもよい。
【００５１】
本実施形態のＬＥＤ照明光源１００は、図１５に示すようなカード型ＬＥＤ照明光源にすることもできる。図１５に示すカード型ＬＥＤ照明光源１００では、基板１１に給電部１２０が設けられており、この給電部１２０は、基板１１内に設けられた第１の配線パターン２１および第２の配線パターン２２を介して、ＬＥＤ素子１０に電気的に接続されている（給電部１２０詳細は不図示）。給電部１２０の表面に給電端子を設けても良い。図１５に示すカード型ＬＥＤ照明光源１００を実際に使用する場合には、各ＬＥＤ素子１０を収納する開口部を有する金属製の反射板（図４の反射板１５１を参照）を基板１１の上に配置することが好適である。なお、基板１１と反射板（１５１）の両方をあわせて、すなわち、反射板を含めて、ＬＥＤ照明光源１００の「基板」と呼んでもよい。あるいは、基板１１自体に反射面を作製して、その基板１１を光学反射部材として用いることも可能である。
【００５２】
このカード型ＬＥＤ照明光源１００は、図１６に示すようにして用いることができる。図１６は、反射板１５１を基板１１に貼り付けた構成のＬＥＤ照明光源１００と、ＬＥＤ照明光源１００が着脱可能に挿入されるコネクタ１３０と、コネクタ１３０を介してＬＥＤ照明光源１００と電気的に接続される点灯装置１３３とを示している。点灯装置１３３は、ＬＥＤ素子１０ａを調光する機能、あるいは、ＬＥＤ素子１０ａおよびＬＥＤ素子１０ｂを独立して（又は協調して）調光する機能を備えている。ＬＥＤ照明光源１００は、一対のガイド部１３１が形成されたコネクタ１３０内に挿入される。コネクタ１３０には、ＬＥＤ照明光源１００の給電部１２０に形成された給電電極（不図示）と電気的に接続する給電電極（不図示）が設けられており、コネクタ１３０の給電電極はライン１３２を介して点灯装置１３３に電気的に接続されている。
【００５３】
図１７は、反射板１５１を含むＬＥＤ照明光源１００におけるＬＥＤ素子１０の周囲を拡大した断面図である。図１７に示す構成において、ベアチップＬＥＤ１２は、基板１１を構成する金属板４０に貼り付けられた多層配線基板４１の配線パターン４２と、フィリップチップ実装によって実装されている。ベアチップＬＥＤ１２は、蛍光体樹脂部１３によって覆われており、さらに、蛍光体樹脂部１３はレンズ１４によって覆われている。レンズ１４は、例えば樹脂製である。
【００５４】
本実施形態の多層配線基板４１には、２層の配線層４２が形成されており、異なる層における配線層４２がビア４３によって接続されている。最上層における配線層４２は、Ａｕバンプ４４を介してＬＥＤ素子１２の電極と接続されている。図１７に示す例では、反射板１５１と多層配線基板４１との間にアンダーフィル（応力緩和層）４５が設けられている。このアンダーフィル４５によって金属製の反射板１５１と多層配線基板４２との間にある熱膨張差に起因する応力を緩和することができるとともに、反射板１５１と多層配線基板４１の上の上層配線との間の電気的絶縁も確保することができる。
【００５５】
反射板１５１には、ベアチップＬＥＤ１２を覆う蛍光体樹脂部１３を収納する開口部１５が形成されており、開口部１５を規定する側面が、ＬＥＤ素子１０から出射される光を反射する反射面１５１ａとなっている。ここで、反射面１５１ａと、蛍光体樹脂部１３の側面とは離間して形成されており、反射面１５１ａによって蛍光体樹脂部１３の形状に影響が生じて、色ムラが生じないように配慮されている。上述したように、当該離間についての構成および効果の詳細は、特許文献５（特開２００４−１７２５８６号公報）に述べられている。特開２００４−１７２５８６号公報の全体をここに援用する。
【００５６】
なお、図１０および図１５は、略円柱状の蛍光体樹脂部１３を示しているが、ここでいう「略円柱形状」には、断面が真円の他、頂点が６個以上の多角形を含めることができる。頂点が６個以上の多角形であれば実質的に軸対称性があるため「円」と同一視できるからである。蛍光体樹脂部１３の形状が略円柱形状のものを用いた場合、三角柱や四角柱のものと比較して、ベアチップＬＥＤ１２を基板にフィリップチップ実装させるときに好適に用いられる超音波フィリップチップ実装を用いた際に、ベアチップＬＥＤ１２が超音波振動で回動してしまっても、ＬＥＤ素子の配光特性に影響が出にくいという効果を得ることができる。
【００５７】
本実施形態のＬＥＤ照明光源１００は、例えば、照明スタンドや、懐中電灯の形態に容易に適用することができる。図１８から図２０は、カード型ＬＥＤ照明光源１００を照明スタンド１５０に適用した構成例を示しており、図２１は、カード型ＬＥＤ照明光源１００を懐中電灯１６０に適用した構成例を示している。
【００５８】
図１８に示す照明スタンド１５０は、１つのカード型ＬＥＤ照明光源１００によって被照射物を照射できる構成となっている。カード型ＬＥＤ照明光源１００をコネクタ１３０に挿入した場合には、上述したように、外周部に位置するＬＥＤ素子１０ａを調光することができる。図１８に示す例では、照明スタンド１５０の台１３５に、調光用のダイヤル（グレア防止ダイヤル）１３６が設けられており、ダイヤル１３６を調整することによってグレアを抑制することができる。ダイヤル１３６の調整によって外周部のＬＥＤ素子１０ａの発光が暗くなっても、周囲へ拡散する光の量を低下させるだけにとどめ、内周部のＬＥＤ素子１０ｂの発光によって、被照射物（例えば、本）への照射を確保することができる。
【００５９】
本実施形態のＬＥＤ照明光源１００は、一つに限らず、複数個用いることができる。図１９は、２つのカード型ＬＥＤ照明光源１００を用いた照明スタンド１５０の構成を模式的に示している。なお、図１８および図１９に示す照明スタンドでは、カード型ＬＥＤ照明光源１００を用いたが、カード型のものに限らず、脱着可能でないＬＥＤ照明光源１００を用いて照明スタンドを構築しても、グレア抑制の効果を得ることができる。
【００６０】
図２０は、４つのＬＥＤ照明光源１００を用いた照明スタンド１５０の構成を示している。４つのＬＥＤ照明光源１００を用いる場合、個々のＬＥＤ照明光源１００では外周部に位置していたＬＥＤ素子１０（１０ａ）が、内周部のＬＥＤ素子１０（１０ｂ）になる場合がある。すなわち、図２０に示す例では、領域１５５内に位置するＬＥＤ素子１０がそれに該当する。この領域１５５内のＬＥＤ素子１０は、内周部のＬＥＤ素子１０ｂとして設計を行ってもよいし、同一のＬＥＤ照明光源１００を大量に製造して使用する観点からは、領域１５５内のＬＥＤ素子１０は外周部のＬＥＤ素子１０ａとして、そのまま使用してもよい。
【００６１】
なお、図２０に示す照明スタンド１５０の場合でも、カード型ＬＥＤ照明光源１００を用いて照明スタンドを構築してもグレア抑制の効果を得ることができるし、脱着可能でないＬＥＤ照明光源１００を用いて照明スタンドを構築してもグレア抑制の効果を得ることができる。
【００６２】
図２１は、ＬＥＤ照明光源１００を用いた懐中電灯１６０の構成を示している。図２１に示す懐中電灯１６０には、懐中電灯をオン−オフするスイッチ１６２に加えて、グレアを防止するスイッチ１６４も設けられている。グレア防止スイッチ１６４を押すと、外周部のＬＥＤ素子１０ａが減光したり消灯したりして、懐中電灯１６０に発生していたグレアが抑制される。例えば、広い範囲を照らしたいときには、懐中電灯１６０を普通に使用し、周囲に人が存在し、その人にまぶしさを与えたくないようなときに、グレア防止スイッチ１６４を押せばよい。
【００６３】
本発明の実施形態に係るＬＥＤ照明光源１００によれば、二次元的に配列されたＬＥＤ素子１０のうち、グレアに影響を与える外周部のＬＥＤ素子１０ａを調光することができるので、グレアを効果的に抑制することができる。これにより、一般照明用光源としてのＬＥＤ照明光源の普及にさらに寄与することができる。
【００６４】
なお、本実施形態では、例えば図１０や図１２に示すように、外周部のＬＥＤ素子１０ａを専ら最外周のものに規定したが、図１３に示すように、最外周よりも内側に位置するＬＥＤ素子１０を、外周部のＬＥＤ素子１０ａにすることができる。また、グレア防止の効果をより強力にするために、例えば図１２に示す構成で、最外周およびそれより一つ内側のＬＥＤ素子１０を、外周部のＬＥＤ素子１０ａとしてもよい。
【００６５】
また、本実施形態においては、ＬＥＤ素子１０として、青色ＬＥＤ素子１２と黄色蛍光体とを組み合わせたＬＥＤ素子１０からなる白色ＬＥＤ照明光源１００について説明したが、白色ＬＥＤ照明光源には、紫外光を発する紫外ＬＥＤ素子と、紫外ＬＥＤ素子からの光で励起して、赤（Ｒ）、緑（Ｇ）および青（Ｂ）の光を発する蛍光体との組み合わせによる白色ＬＥＤ照明光源も開発されているので、それを用いても良い。紫外ＬＥＤ素子は、２００ｎｍ〜４１０ｎｍに波長ピークを有する光を出射し、赤（Ｒ）、緑（Ｇ）および青（Ｂ）の光を発する蛍光体は、波長３８０ｎｍから７８０ｎｍの可視領域の範囲内にピーク波長（すなわち、波長４５０ｎｍ、波長５４０ｎｍ、波長６１０ｎｍのピーク波長）を持っている。
【００６６】
さらに、本実施形態では、ベアチップＬＥＤ１２を用いたＬＥＤ素子１０の構成について説明したが、それに限らず、外周部に位置するＬＥＤ素子によってグレアが生じるＬＥＤ照明光源であれば、本発明を適用することによって、グレア抑制の効果を得ることができる。例えば、本実施形態の白色ＬＥＤ素子だけでなく、Ｒ、Ｇ、Ｂの単色ＬＥＤ素子の場合でも、グレア抑制の効果を得ることができる。また、４個以上のＬＥＤ素子１０からなるＬＥＤ照明光源（ＬＥＤモジュール）であれば、外周部に位置するＬＥＤ素子１０と内周部に位置するＬＥＤ素子１０とを分けることが可能となる。
【００６７】
（実施形態２）
次に、本発明によるＬＥＤ照明光源の第２の実施形態を説明する。
【００６８】
実施形態１におけるＬＥＤ照明光源１００では、外周部のＬＥＤ素子１０ａを調光することにより、グレアを効果的に抑制しているが、本実施形態では、グレアの抑制効果を更に高める構成を採用している。
【００６９】
図２２（ａ）および（ｂ）は、それぞれ、ＬＥＤ素子群の外周部に位置するＬＥＤ素子１０ａを覆うレンズ１４ａ、および、ＬＥＤ素子群の内周部に位置するＬＥＤ素子１０ｂを覆うレンズ１４ｂの構成を模式的に示している。図２２（ａ）および（ｂ）に示すように、本実施形態では、内周部のレンズ１４ｂは、外周部のレンズ１４ａよりも、より狭角の配光を実現するレンズ構造を有している。このような構成を採用することにより、外周部のＬＥＤ素子１０ａを調光により減光させた場合、内周部のＬＥＤ素子１０ｂから発せられる光は、レンズ１４ｂの作用により、周囲には向かい難くなるため、グレアをさらに効果的に抑制することができる。内周部のレンズ１４ｂにおいて狭角の配光を実現するには、例えば、半球状の凸レンズにして１／２ビーム角を３５度以内に設定すればよい。
【００７０】
人間の目は、電球色のような色温度の低いものの方が、略昼光色（例えば、昼光色、昼白色）のような色温度の高いものよりも、グレアを感じにくい傾向があるので、外周部のＬＥＤ素子１０ａが発する光の色温度を、内周部のＬＥＤ素子１０ｂが発する光の色温度よりも低くすることも好適な手法である。内周部のＬＥＤ素子１０ｂの色温度よりも、ＬＥＤ素子１０ａの色温度の方を低くするには、例えば、次のようにすればよい。
【００７１】
一つは、外周部に位置する蛍光体樹脂部１３の体積を、内周部に位置する蛍光体樹脂部１３の体積よりも大きくする手法がある。蛍光体樹脂部１３の体積を大きくすると、ベアチップＬＥＤ１２から出射した光がより多くの蛍光体を通過するので、ＬＥＤ素子１０ａから出る光はより電球色側に移行し、それによって色温度が低くなる。
【００７２】
他には、外周部に位置する蛍光体樹脂部１３に含まれている蛍光体の濃度を、内周部に位置する蛍光体樹脂部１３に含まれている蛍光体の濃度よりも大きくする手法がある。これも、ベアチップＬＥＤ１２から出射した光がより多くの蛍光体を通過するので、ＬＥＤ素子１０ａから出る光はより電球色側に移行し、それによって色温度が低くなる。これ以外にも、例えば蛍光体の種類や調合比を変えることにより、外周部と内周部との蛍光体樹脂部１３の色温度を変えることも可能である。
【００７３】
図１５に示すようなＬＥＤ照明光源１００を作製する場合、複数の蛍光体樹脂部１３を同一工程で（いわゆる同時に）形成する方法を採用するのが便利である。複数の蛍光体樹脂部１３を同時に形成する方法には多様な方法を挙げることができるが、例えば、孔版印刷方式、凹版印刷方式、転写方式、ディスペンサー方式を採用することができる。
【００７４】
以下、図２３から図２７を参照しながら蛍光体樹脂部１３の製造方法を説明する。
【００７５】
図２３は、孔版印刷方式を用いて複数の蛍光体樹脂部１３を形成する工程を示している。まず、複数のＬＥＤ素子１２が配置された基板１１を用意する。図２３では、理解を容易にするために２つのＬＥＤ素子１２だけを示しているが、本実施形態のＬＥＤ照明光源１００を作製する場合には、ＬＥＤ素子１２が二次元的に（例えば、マトリックス状、略同心円状、渦巻き状）配列された基板１１を用意する。
【００７６】
次に、蛍光体樹脂部１３（１３ａ、１３ｂ）の大きさに対応した開口部（貫通孔）５１ａを有する印刷版５１を、ＬＥＤ素子１２の位置に合わせて基板１１上に配置し、両者を密着させる。そして、印刷方向にスキージ５０を移動させることによって、印刷版５１上に設けた樹脂ペースト６０を開口部５１ａの中に入れて、樹脂ペースト６０でＬＥＤ素子１２を覆う。印刷が終わったら、印刷板５１を取り除く。樹脂ペースト６０には蛍光体が分散されているので、樹脂ペースト６０を硬化させると、蛍光体樹脂部１３が得られる。外周部の蛍光体樹脂部１３の体積を、内周部の蛍光体樹脂部１３の体積よりも大きくしたい場合には、外周部に対応する開口部５１ａの大きさを大きくしておけばよい。なお、以下の形成方法において、孔版印刷方式と同様の説明については省略して、異なる部分について主に説明する。
【００７７】
図２４は、凹版印刷方式を用いて複数の蛍光体樹脂部１３を形成する工程を示している。図２５（ａ）および（ｂ）は、凹版印刷方式の印刷板５２の表面５２ａと裏面５２ｂとをそれぞれ示している。凹版印刷法式の場合、図２５（ａ）および（ｂ）に示すような、裏面５２ｂに貫通していない開口部５３を有する印刷板５２を用意し、その開口部５３に樹脂ペースト６０を充填しておく。そして、図２４に示すように、ＬＥＤ素子１２が配列された基板１１上に、印刷版５２を配置し、両者を密着させる。その後、印刷板５２を取り除くと、蛍光体樹脂部１３が得られる。外周部の蛍光体樹脂部１３の体積を、内周部の蛍光体樹脂部１３の体積よりも大きくしたい場合には、外周部に対応する開口部５３の大きさを大きくしておけばよい。また、外周部の蛍光体樹脂部１３の体積を、内周部の蛍光体樹脂部１３の体積よりも大きくしたい場合には、開口部５１ａの大きさを２種類形成しておけばよい。
【００７８】
図２６は、転写方式（平版方式）を用いて複数の蛍光体樹脂部１３を形成する工程を示している。この方式では、版５５の上に感光性樹脂膜５６を設けた後、レジストを用いて、蛍光体樹脂部１３に対応する形状の開口部５７を作製し、その後、その開口部５７に樹脂ペースト６０を充填する。次いで、版５５を基板１１に加圧して、樹脂ペースト６０を基板１１上に転写すれば、ＬＥＤ素子１２を覆う蛍光体樹脂部１３が得られる。ここでも、外周部の蛍光体樹脂部１３の体積を、内周部の蛍光体樹脂部１３の体積よりも大きくしたい場合には、外周部に対応する開口部５７の大きさを大きくしておけばよい。また、外周部に位置する蛍光体樹脂部１３の蛍光体濃度を、内周部に位置する蛍光体樹脂部１３の蛍光体濃度よりも大きくしたい場合、蛍光体濃度が高い樹脂ペースト６０を、外周部に対応する開口部５７に充填すればよい。
【００７９】
図２７は、ディスペンサー方式を用いて複数の蛍光体樹脂部１３を形成する工程を示している。この方式では、樹脂ペースト６０を噴射する注射器５９を備えたディスペンサー５８を用いて、基板１１上に配列されたＬＥＤ素子１２に対して所定量の樹脂ペースト６０を噴射することによって蛍光体樹脂部１３を形成する。蛍光体樹脂部１３ａに比べて蛍光体樹脂部１３ｂの噴射量を多くすると、蛍光体樹脂部１３ｂの大きさを大きくすることができるので、外周部に位置する蛍光体樹脂部１３の体積を大きくすることも可能である。また、外周部に位置する蛍光体樹脂部１３の蛍光体濃度を高くすることも可能である。
【００８０】
上述した蛍光体樹脂部１３についての構成と、図２２（ａ）および（ｂ）に示すレンズの構成とを組み合わせて適用することも可能であり、それらを組み合わせるかどうかは使用する用途等を考慮して、適宜好適なものを選択すればよい。
【００８１】
上記の実施形態１および２では、１つの蛍光体樹脂部１３内に１つのベアチップＬＥＤ１２を配置しているが、必ずしも１つのベアチップＬＥＤ１２に限らず、１つの蛍光体樹脂部１３内に２つ又はそれ以上のベアチップＬＥＤ１２を配置してもよい。図２８（ａ）および（ｂ）は、１つの蛍光体樹脂部１３内に、ベアチップＬＥＤ１２Ａ、１２Ｂを配置した構成を示している。ベアチップＬＥＤ１２Ａ、１２Ｂは、同一波長領域の光を発するＬＥＤ素子であってもよいし、異なる波長領域の光を発するベアチップＬＥＤであってもよい。例えば、ベアチップＬＥＤ１２Ａを青色ＬＥＤとし、ベアチップＬＥＤ１２Ｂを赤色ＬＥＤとすることも可能である。この場合、蛍光体樹脂部１３に覆われている２以上のベアチップＬＥＤ１２（１２Ａ、１２Ｂ）は、波長３８０ｎｍから７８０ｎｍの可視領域の範囲内のピーク波長（例えば、波長３８０〜４７０ｎｍ（これが１種類だけなら４６０ｎｍ）のピーク波長、波長６１０〜６５０ｎｍ（これが１種類だけなら６２０ｎｍ）のピーク波長）を持つことになる。青色ＬＥＤ素子１２Ａおよび赤色ＬＥＤ素子１２Ｂの両方のＬＥＤ素子を用いた場合には、赤に対する演色性に優れた白色ＬＥＤ照明光源を構築することができる。さらに説明すると、青色ＬＥＤ素子と黄色蛍光体との組み合わせのときには、白色を生成することができるものの、赤成分が足りない白色となってしまい、赤に対する演色性が劣る白色ＬＥＤ照明光源となってしまう。そこで、青色ＬＥＤ素子１２Ａに赤色ＬＥＤ素子１２Ｂを加えると、赤に対する演色性にも優れたものになり、一般照明用として更に適したＬＥＤ照明光源を実現することができる。
【００８２】
以上、本発明を好適な実施形態により説明してきたが、こうした記述は限定事項ではなく、勿論、種々の改変が可能である。例えば、図１２および図１３に示す構成において、ＬＥＤ素子１０の接続に並列接続を用いることも可能である。
【００８３】
なお、外周部に位置するＬＥＤ素子１０を電気的に接続する第１の配線パターン、および、外周部以外の領域に位置するＬＥＤ素子１０を電気的に接続する第２の配線パターンの例は、図１２および図１３に示すものに限定されない。以下、この点を説明する。
【００８４】
図２９（ａ）から（ｄ）は、本発明のＬＥＤ照明光源が持ち得る配線構造の他の例を示している。図中の黒丸および白丸は、それぞれ、異なる配線に接続されたＬＥＤ素子を模式的に示している。
【００８５】
図２９（ａ）の例では、ＬＥＤ素子群の外周部に位置する１６個のＬＥＤ素子のうち、１５個のＬＥＤ素子は第１の配線パターン２１に接続されているが、他の１個のＬＥＤ素子は第２の配線パターン２２に接続されている。一方、図２９（ｂ）は、ＬＥＤ素子群の外周部に位置する１６個のＬＥＤ素子のうち、１２個のＬＥＤ素子は第１の配線パターン２１に接続されているが、他の４個のＬＥＤ素子は第２の配線パターン２２に接続されている。このように、外周部に位置するＬＥＤ素子の全てが共通の配線パターンに接続されている必要はない。
【００８６】
図２９（ｃ）は、配線構造が３つの配線パターン２１、２２、２３を有している場合を示している。このように、１つのＬＥＤ照明光源が備える配線パターンの数は２つに限定されず、３つ以上であってもよい。
【００８７】
図２９（ｄ）の例では、１つのＬＥＤ照明光源に２つのＬＥＤ素子群が配置されている。この例では、それぞれのＬＥＤ素子群の外周部に位置するＬＥＤ素子が第１の配線パターン２１に接続され、内周部に位置するＬＥＤ素子は第２の配線パターン２２に接続されている。２つのＬＥＤ素子群が近接している場合は、１つのＬＥＤ素子群として機能するが、２つのＬＥＤ素子群の間の距離が例えば４ｍｍを超えるような場合は、図２９（ｄ）に示すように、個々のＬＥＤ素子群の外周部に位置するＬＥＤ素子について調光を可能とする配線構造を採用してもよい。
【００８８】
図２９（ｄ）の例では、左側のＬＥＤ素子群の第１の配線パターン２１は、右側のＬＥＤ素子群の第１の配線パターン２１と、不図示の下層配線によって相互に接続されている。また同様に、左側のＬＥＤ素子群の第２の配線パターン２２は、右側のＬＥＤ素子群の第２の配線パターン２２と、不図示の下層配線によって相互に接続されている。このため、左右のＬＥＤ素子群の調光は、同様に実行される。なお、１つのＬＥＤ照明光源に複数のＬＥＤ素子群が含まれる場合、各ＬＥＤ素子群の調光を、独立して行うようにしてもよい。
【産業上の利用可能性】
【００８９】
本発明によれば、グレアを抑制したＬＥＤ照明光源を提供することができるので、一般照明用のＬＥＤ照明光源の普及に寄与する。
【図面の簡単な説明】
【００９０】
【図１】特許文献２に開示された砲弾型ＬＥＤ照明光源の構成を模式的に示す断面図である。
【図２】図１に示す砲弾型ＬＥＤ照明光源の要部拡大図断面図である。
【図３】（ａ）および（ｂ）は、それぞれ、特許文献５に開示されたＬＥＤ照明光源の一例を示す側面断面図および上面図断面図である。
【図４】図３に示す構成を複数個マトリクス状に配置した構成例の斜視図断面図である。
【図５】４個のＬＥＤ素子１０が配列されたＬＥＤ照明光源４００を示す平面図断面図である。
【図６】（ａ）は、４個のＬＥＤ素子１０を直列に接続した回路４１０を示し、（ｂ）は、４個のＬＥＤ素子１０を並列に接続した回路４２０を示す回路図断面図である。
【図７】ＬＥＤ素子１０を４個直列接続したものを並列に接続した回路４３０を示す回路図断面図である。
【図８】ＬＥＤ素子１０を４個並列接続したものを直列に接続した回路４４０を示す回路図断面図である。
【図９】４個×４個のＬＥＤ素子１０を配列させたＬＥＤ照明光源５００を点灯させた状態を模式的に示す斜視図断面図である。
【図１０】本発明の実施形態１に係るＬＥＤ照明光源１００の構成を模式的に示す斜視図断面図である。
【図１１】ＬＥＤ素子１０の構成を模式的に示す断面図断面図である。
【図１２】本発明の実施形態１に係るＬＥＤ照明光源１００の構成を示す回路図断面図である。
【図１３】本発明の実施形態１に係るＬＥＤ照明光源１００の構成を示す回路図断面図である。
【図１４】調光器３０の構成を示す回路図断面図である。
【図１５】本発明の実施形態１に係るカード型ＬＥＤ照明光源１００の構成を模式的に示す斜視図断面図である。
【図１６】カード型ＬＥＤ照明光源１００の使用方法の一例を説明するための斜視図断面図である。
【図１７】反射板１５１を含むＬＥＤ照明光源１００におけるＬＥＤ素子１０の周囲を拡大した断面図断面図である。
【図１８】照明スタンド１５０の構成を模式的に示す斜視図断面図である。
【図１９】照明スタンド１５０の構成を模式的に示す斜視図断面図である。
【図２０】照明スタンド１５０の構成を模式的に示す斜視図断面図である。
【図２１】懐中電灯１６０の構成を模式的に示す斜視図断面図である。
【図２２】（ａ）および（ｂ）は、本発明の実施形態２に係る構成の要部拡大図断面図である。
【図２３】孔版印刷方式を用いて複数の蛍光体樹脂部１３を形成する工程を説明するための斜視図断面図である。
【図２４】凹版印刷方式を用いて複数の蛍光体樹脂部１３を形成する工程を説明するための斜視図断面図である。
【図２５】（ａ）および（ｂ）は、それぞれ、凹版印刷方式の印刷板５２の表面５２ａと裏面５２ｂとを示す平面図断面図である。
【図２６】転写方式（平版方式）を用いて複数の蛍光体樹脂部１３を形成する工程を説明するための斜視図断面図である。
【図２７】ディスペンサー方式を用いて複数の蛍光体樹脂部１３を形成する工程を説明するための斜視図断面図である。
【図２８】（ａ）および（ｂ）は、それぞれ、１つの蛍光体樹脂部１３内にベアチップＬＥＤ１２Ａ、１２Ｂを配置した構成を示す側面断面図および上面図断面図である。
【図２９】本発明のＬＥＤ照明光源が有し得る配線構造の例を示す図である。
【符号の説明】
【００９１】
１０（１０ａ、１０ｂ）    ＬＥＤ素子
１１    基板
１２    ＬＥＤ素子
１３    蛍光体樹脂部
１４    レンズ
１５    開口部
２０    配線回路
２１    第１の配線パターン
２２    第２の配線パターン
２３    抵抗素子
３０    調光器
３１    商用電源
３２    ヒューズ
３３    電源トランス
３４    ダイオードブリッジ
３５    平滑コンデンサ
３６    レギュレータ
３７、３８    端子
４０    金属板
４１    多層配線基板
４２    配線パターン
４３    ビア
４５    アンダーフィル（応力緩和層）
５０    スキージ
５１    印刷版
５１ａ    開口部（貫通孔）
６０    樹脂ペースト
５２    印刷板
５３    開口部
５５    版
５６    感光性樹脂膜
５７    開口部
５８    ディスペンサー
５９    注射器
１２０    給電部
１３０    コネクタ
１３１    ガイド部
１３２    ライン
１３３    点灯装置
１３５    台
１３６    ダイヤル
１５０    照明スタンド
１５１    反射板
１５１ａ    反射面
１６０    懐中電灯
１６２    ＯＮ−ＯＦＦスイッチ
１６４    グレア防止スイッチ
１００    ＬＥＤ照明光源
２００、３００、４００    ＬＥＤ照明光源
【図１】
2005117028.tif 000003
【図２】
2005117028.tif 000004
【図３】
2005117028.tif 000005
【図４】
2005117028.tif 000006
【図５】
2005117028.tif 000007
【図６】
2005117028.tif 000008
【図７】
2005117028.tif 000009
【図８】
2005117028.tif 000010
【図９】
2005117028.tif 000011
【図１０】
2005117028.tif 000012
【図１１】
2005117028.tif 000013
【図１２】
2005117028.tif 000014
【図１３】
2005117028.tif 000015
【図１４】
2005117028.tif 000016
【図１５】
2005117028.tif 000017
【図１６】
2005117028.tif 000018
【図１７】
2005117028.tif 000019
【図１８】
2005117028.tif 000020
【図１９】
2005117028.tif 000021
【図２０】
2005117028.tif 000022
【図２１】
2005117028.tif 000023
【図２２】
2005117028.tif 000024
【図２３】
2005117028.tif 000025
【図２４】
2005117028.tif 000026
【図２５】
2005117028.tif 000027
【図２６】
2005117028.tif 000028
【図２７】
2005117028.tif 000029
【図２８】
2005117028.tif 000030
【図２９】
2005117028.tif 000031